(57)【要約】      （修正有）【課題】ティーグランドの状態に関わらず安定した高さを得ることが出来ると共に、一つのゴルフティーで、高さ調整が可能なゴルフティーの提供。【解決手段】ゴルフティーをボール載せる円筒部１、台座部２の２ピース構造にすることで、台座から伸びる支柱３に対して、円筒形状のボール載せ部を上下スライド可能な構造にする。円筒形状のボール載せ部を上下スライドさせることでゴルフボールのティーアップの高さを１つのゴルフティーで調整が可能となる。【選択図】図２
2010214067.tif 000002
【特許請求の範囲】
【請求項１】
台座部とゴルフボール載せる円筒部の２ピース構造からなるゴルフティーであり、台座部より垂直に支柱が形成され、その支柱に複数の環状突起物が施されており、支柱先端からゴルフボールを載せる円筒部を挿入する。そのゴルフボール載せる円筒部を上下にスライドすることが可能なゴルフティー。
【請求項２】
支柱が立ち上がっている反対面の底板部からさかさまに円錐状の地面差込部を設けた請求項１の特徴を持ったゴルフティー。
【発明の詳細な説明】
【技術分野】
【０００１】  ２ピース構造でティーアップの高さを上下スライド調整できるようにしたゴルフティーである。
【背景技術】
【０００２】    従来よりゴルフティーはインパクト時に抵抗を少なくし、クラブヘッドの運動エネルギーをロス無くゴルフボールに伝え、飛距離アップを計るもの、また、さらにティーの高さを調整しやすいものなど、特許文献１や特許文献２に開示されたものがある。
【特許文献１】  特開２００８−２９４５２号公報
【特許文献２】  特開２００８−１４２４９０号公報
【発明の開示】
【発明が解決しようとする課題】
【０００３】    ゴルフ練習場においてゴム製の台座、ゴルフボール載せ部一体成形のティーが使われていることが多い。これらは高さ３０ｍｍぐらいから７０ｍｍ前後までほぼ５ｍｍきざみで販売されており、１０種類程度揃えられている。ゴルフ練習場、ゴルフ用品小売店としては、十分な品揃えと在庫をそろえて置く必要がある。特にゴルフ練習場にとって、消耗品のひとつである。また、消費者も一個当たり１サイズのみの対応のため、複数の種類のサイズを購入しなければならないなどの経済的な課題がある。【０００４】    また、ゴルフ練習場において、上述の従来のゴム製のティーはゴルフクラブで打たれる円筒形のボール載せ部が磨耗、損傷して新品と交換することになる。しかし、ボール載せ部の円筒の根元や底板、台座部分はショットマットに保護されているため、殆ど傷んでいない。もったいないが、仕方なく、交換するのが現状である。消耗品であるゴム製のティーを安価にコストダウンしたいという課題がある。【０００５】  さらにゴルフ練習場で施設利用者がティーの高さを変える場合は、ショットマットを取り外し、別の高さのティーを自らセットしなければならない。雨水や泥がショットマットの下にたまっていたりすることがあり、手や服が汚れることもしばしば起きる。ティーの高さを変えることが煩わしいという課題もある。【０００６】  ゴルフコースにおいては、ティーの高さは地面に差し込むティーの深さのみによって決定されるが、ティーグランドの状態によって、ティーの差込深さのみの調整では、十分に満足できるゴルフティー高さを得る事ができないという課題がる。
【課題を解決するための手段】
【０００７】  これらの課題を解決するための手段として、ゴルフティー本体を図１のようにゴルフボール載せる円筒部１と台座部２の部品に分け、２ピース構造とする。ゴルフボール載せ部１は円筒状の構造をしており、ゴムなどの柔軟、伸縮性のある材質のもので成形する。台座部分２は比較的硬質の樹脂で成形する。【０００８】  台座部２から垂直に支柱３を設け、その支柱３をゴルフボール載せる円筒部１の底面にある支柱挿入貫通穴５に挿入し、ゴルフボール載せる円筒部１を上下にスライドすることでゴルフボールのティーアップの高さを容易に調整することができる。
【発明の効果】
【０００９】  ゴルフボールを一旦ティーアップした後、ティーを抜かずに高さを調整することが可能である。ゴルフ練習場においては、マットを動かさずにティーの高さを変えることが可能となり、手を汚すことも無く手間が省ける。【００１０】  ゴルフ練習場、ゴルフ用品小売店で取り揃えておかなければならない在庫アイテムが絞られ、ゴムティーの高さに応じた種類が１０種類ぐらいから３乃至５種類程度に削減され、消耗品在庫金額が削減される。【００１１】  ２ピース構造にすることによって、磨耗、破損が発生するゴルフボール載せる円筒部１と磨耗、破損が殆ど発生しない台座部２の部品に分かれる。台座部２は繰り返し使用可能であるため、ゴルフボール載せる円筒部１のみ購入し、台座部２とセットすることによって、新品同様の機能を発揮する。部品のみの交換により、ランニングコストの削減につながる。
【発明を実施するための最良の形態】
【００１２】  図１はゴルフティーの部品を分離した状態での断面図である。基本的に２ピースの構造であり、ゴルフボールを載せる円筒部１と台座部２に分けることができる。ゴルフボールを載せる円筒部１はゴムなどの柔軟性、伸縮性を特徴とした素材でできており、ゴルフボールを載せて安定させることが可能な直径１５ｍｍ乃至２０ｍｍ程度で肉厚１ｍｍ乃至２ｍｍ程度である。底面があり、底面に直径５ｍｍ程度の支柱挿入貫通穴５が設けられている。【００１３】  図１の台座部２は直径５０ｍｍ、肉厚３ｍｍ程度の円板に中心から垂直に直径５ｍｍ程度の支柱３を立ち上げ、５ｍｍ程度の間隔で環状高さ維持ストッパー４を３箇所程度設ける。環状高さ維持ストッパー４の上部は球状、下部は球の断面状に施され、直径８ｍｍ乃至１０ｍｍ程度である。【００１４】  図１の台座部２の支柱３にゴルフボールを載せる円筒部１の底面に設けられた支柱挿入貫通穴５を台座部２の最も低い位置まで差し込む。台座部２はボール載せ円筒部より硬い素材でできている。支柱挿入貫通穴５は柔軟性、伸縮性があるため、環状高さ維持ストッパーの乗り越えることができ、上下のスライドが可能である。最も低い位置まで落とし込まれた円筒部を上にスライドさせるには、５ｍｍ間隔で設けた環状高さ維持ストッパー４が障害となり、ティーの高さを安定させることができる。最も低い位置からゴルフボール載せる円筒部１を上にスライドすることにより、５ｍｍ間隔で３段階のゴルフティーの高さを得る事が可能となる。
【産業上の利用可能性】
【００１５】  本発明に係わるゴルフティーは、工業的に量産することが可能であるため、産業上の利用可能性を有する。
【図面の簡単な説明】
【００１６】
【図１】  部品を分離した状態でのゴルフティー断面図である。
【図２】  主にゴルフ練習場などで使用される置きタイプのゴルフティーの斜視図である。
【図３】  ゴルフコースのティーグランド差込タイプのゴルフティー側面図である。
【符号の説明】
【００１７】  １        ボールを載せる円筒部
２        台座部
３        支柱
４        環状高さ維持ストッパー
５        支柱挿入貫通穴
６        地面差込逆さ円錐
７        ゴルフボール
８        ティーグラウンド
【図１】
2010214067.tif 000003
【図２】
2010214067.tif 000004
【図３】
2010214067.tif 000005